(57)【特許請求の範囲】
【請求項１】
底面に排水口（１）を開口した槽体（２）と、
槽体（２）の排水を下水側に排出する、上流が槽体（２）の排水口（１）に接続される排水トラップ（３）と、
前記槽体（２）の内側壁に開口したオーバーフロー孔（４）と、
該オーバーフロー孔（４）を前記排水トラップ（３）の上流部（１５）に連通した排水管（１４）から成るオーバーフロー装置（１３）と、
前記オーバーフロー装置（１３）の、オーバーフロー孔（４）と連通する箱体（７）と、
該箱体（７）の壁面に設けられた、平素は蓋（８）によって閉口されている挿入口（６）と、
挿入口（６）から排水トラップ（３）の下流部（１６）を連通するように設けられた洗浄用管（５）と、
から成ることを特徴とする排水機器。
【請求項２】
洗浄用管（５）を、可撓性を有した管で構成することを特徴とする請求項１に記載の排水機器。
【請求項３】
洗浄用管（５）を、金属製の管で構成することを特徴とする請求項１又は請求項２に記載の排水機器。
【請求項４】
オーバーフロー孔（４）と連通する箱体（７）の壁面に設けられた洗浄用管（５）への挿入口（６）を、オーバーフロー孔（４）に連通する箱体（７）の、平面視オーバーフロー孔（４）に連通する開口を設けた壁面の、隣りとなる側壁に設け、前記挿入口（６）を開閉可能にする蓋（８）を設けることを特徴とする請求項１乃至請求項３のいずれか１つに記載の排水機器。
【発明の詳細な説明】
【技術分野】
【０００１】
本発明は洗面台、流し、手洗い器等の排水機器に関するものであって、更に詳しくは、排水機器に設けられた、排水配管の洗浄に関するものである。
【背景技術】
【０００２】
従来、洗面台などの槽体の排水口の下流部に接続される排水トラップとして、図５に示した従来例がある。
本従来例は、洗面台などの槽体の底面に開口する排水口と、
該排水口を備えた排水筒と、
該排水筒に接続し、排水トラップを成す排水配管と、
槽体の内側壁に設けられた、オーバーフロー孔と、
該オーバーフロー孔に連絡するオーバーフロー管、から成るオーバーフロー装置と、
から構成されている。
更に、本従来例は、上記排水トラップの封水面上方の壁部分に、開閉可能な孔を設けたものである。
この排水トラップの孔には、オーバーフロー孔に連絡するオーバーフロー管の他端が、抜き差し可能に差し込まれている。
【０００３】
ところで、排水は既に何らかの為に使用された後の水である。そのため、洗面台などにおいて用いられた排水であれば砂塵や毛髪等が、殆どの場合混入している。上記排水装置においては、排水中に混入したこれらの塵芥を排水配管中に排出してしまわないように、排水口に、スリット部を設けて大きな塵芥の進入を防ぐ目皿部材や、排水中の塵芥や毛髪等を捕集するストレーナーなどが配置され、排水中から塵芥を取り除くようにしているが、完全に塵芥を取り除くことは不可能であり、特に大きな塵芥が排水に流入してきた場合、排水配管を閉塞してしまう場合がある。また、塵芥があまり大きな物でない場合でも、排水中に油分などが混入すると、該油分が排水配管の内面にこびり付き、更に上記の塵芥を付着させて大きな固まりとして成長し、排水配管を閉塞してしまう場合がある。
【０００４】
上記の理由等によって排水配管が閉塞してしまった場合、管詰まりは縦管部や横管部、或いはＵ字状の排水トラップの内部で発生する場合がほとんどで、排水口から直接手を加えるような方法では、対応できない場合がほとんどである。そこでこれら配管中での管詰まりに対しては、カンツール法または高圧洗浄法と呼ばれる方法が利用されている。
【０００５】
カンツール法は、コイル状に巻くことで可撓性を備えた金属性のコイル線を、排水口から排水配管に押し込んで、管部まり箇所の塵芥に突き当てることで、塵芥を細かくバラバラに破砕し、また塵芥を更に下流に押し流して、排水配管中の管詰まりを解消する方法である。
また、高圧洗浄法は、耐圧で且つ可撓性を有する高圧洗浄管を排水口から排水配管内に押し込み、管の先端が詰まり箇所に到達してから、高圧洗浄管より水を高圧で放出させ、塵芥をバラバラに細かく破砕し押し流して、排水配管中の管詰まりを解消する方法である。
【０００６】
上記段落０００２の従来例の場合、排水トラップ内の洗浄時には、オーバーフロー管の他端を前記孔から抜き取り、洗浄用強制給水管（高圧洗浄管）を前記孔に抜き差し可能に差し込み、該洗浄用強制給水管（高圧洗浄管）の水勢力によって排水トラップ内の洗浄を行っている。
【０００７】
【特許文献１】特開平１０−１８３７１６
【発明の開示】
【発明が解決しようとする課題】
【０００８】
上記段落０００２に記載した、従来の排水トラップ内の洗浄時には、オーバーフロー管の端を前記排水トラップの孔から抜き取り、該孔に洗浄用強制給水管を差し込む必要があり、手間が掛かる。
また、これらの作業は、洗面台の槽体の下に潜り込み、排水トラップ等がある狭い空間で作業を行う必要があり、作業に困難を伴った。
その他にも、オーバーフロー管と洗浄用強制給水管を取り替える作業の都度、作業を誤り漏水が発生する可能性が生じるのが実情であった。
【０００９】
本発明は、諸事情に鑑みてなされたもので、その目的とする処は、洗面台などに設けられた排水トラップを含む排水配管の洗浄の際、洗面台の下に潜って狭い空間での作業や、排水トラップの分解を行う手間が必要の無いようにすることである。
【課題を解決するための手段】
【００１０】
請求項１に記載の内容は、
底面に排水口（１）を開口した槽体（２）と、
槽体（２）の排水を下水側に排出する、上流が槽体（２）の排水口（１）に接続される排水トラップ（３）と、
前記槽体（２）の内側壁に開口したオーバーフロー孔（４）と、
該オーバーフロー孔（４）を前記排水トラップ（３）の上流部（１５）に連通した排水管（１４）から成るオーバーフロー装置（１３）と、
前記オーバーフロー装置（１３）の、オーバーフロー孔（４）と連通する箱体（７）と、
該箱体（７）の壁面に設けられた、平素は蓋（８）によって閉口されている挿入口（６）と、
挿入口（６）から排水トラップ（３）の下流部（１６）を連通するように設けられた洗浄用管（５）と、
から成ることを特徴とする排水機器である。
【００１１】
請求項２に記載の内容は、  
洗浄用管（５）を、可撓性を有した管で構成することを特徴とする前記段落００１０に記載の排水機器である。
【００１２】
請求項３に記載の内容は、
洗浄用管（５）を、金属製の管で構成することを特徴とする前記段落００１０又は前記段落００１１に記載の排水機器である。
【００１３】
請求項４に記載の内容は、
オーバーフロー孔（４）と連通する箱体（７）の壁面に設けられた洗浄用管（５）への挿入口（６）を、オーバーフロー孔（４）に連通する箱体（７）の、平面視オーバーフロー孔（４）に連通する開口を設けた壁面の、隣りとなる側壁に設け、前記挿入口（６）を開閉可能にする蓋（８）を設けることを特徴とする前記段落００１０乃至請前記段落００１２のいずれか１つに記載の排水機器である。
【発明の効果】
【００１４】
本発明の排水機器は、以下Ａ）〜Ｄ）の効果を奏する。
Ａ）請求項１に記載の本発明は、洗面台の槽体（２）の内側壁に設けたオーバーフロー孔（４）から、排水トラップ（３）の下流部（１６）に連通する洗浄用管（５）で構成されている。
洗浄用機器を、前記オーバーフロー孔（４）から、洗浄用管（５）を通して排水トラップ（３）とパイプ管（１９）を含む、排水配管（９）内に挿入することができる。
このため、従来であれば、排水トラップ（３）内の洗浄のためには、槽体（２）の下に潜り込み排水トラップ（３）を分解するなどの手間が掛かるのに対し、本発明では、洗浄用管（５）を通して洗浄用機器を排水配管（９）に挿入でき、全ての作業を槽体（２）の上方（表側）から行うことができるので、洗浄作業が大変楽になる。
Ｂ）請求項２に記載の本発明は、オーバーフロー孔（４）から排水トラップ（３）の下流部（１６）に連通する洗浄用管（５）が、可撓性を有する管で構成されている。
高圧洗浄用カンツールの機材は、それを通す配管の曲がり半径があまり小さいと、その曲がり部分を通過することができない。
その点で、曲がり部分を大きくできる可撓管は高圧洗浄用カンツールを通過させる際に有利である。また配管作業が容易である。
Ｃ）請求項３に記載の本発明は、オーバーフロー孔（４）から排水トラップ（３）の下流部（１６）に連通する洗浄用管（５）が、金属製の管で構成されている。
高圧洗浄用カンツールの機材は金属のため、軟らかい樹脂材であれば削れてしまう。
特に請求項２のような可撓性を有した管の場合は、軟質な素材が使われることが多く、削れやすい。
そこで、本発明のように金属製の管で洗浄用管（５）を構成することで、この削れを防止する。
Ｄ）請求項４に記載の本発明は、洗浄用管（５）への挿入口（６）を、オーバーフロー孔（４）に連通する箱体（７）の側壁に設け、前記挿入口（６）を開閉可能にする蓋（８）を設けてなる。
排水機器に設けられた槽体（２）をなるべく大きくするためには、平面視槽体（２）の外側壁（特に前後の外側面）と、排水機器の内壁面（特に前後の内側面）とをなるべく近接させる必要がある。
しかし、挿入口（６）を箱体（７）のオーバーフロー孔（４）の対向面に設けると、挿入口（６）の下流となる洗浄用管（５）が平面視槽体（２）の外側壁と排水機器の内壁面との間に飛び出してしまい、両者を近接させることができない。
これに対して、洗浄用管（５）への挿入口（６）を、箱体（７）の、オーバーフロー孔（４）に連通する壁面の隣りの側壁に設けると、挿入口（６）や洗浄用管（５）を設けないオーバーフロー装置（１３）（従来のオーバーフロー装置）の場合と同様に、洗浄用管（５）が平面視槽体（２）の外側壁と排水機器の内壁面との間に飛び出すことが無いため、平面視槽体（２）の外側壁と排水機器の内壁面とを近接させることができる。
【実施例】
【００１５】
本実施例は、洗面台に施工された、排水機器に関するものであって、更に詳しくは排水機器に設けられた排水配管の洗浄に関するものである。
洗面ボールと言われる槽体（２）には、図１又は図３に示すように、底面に排水口（１）が、上縁寄りの内側壁にはオーバーフロー孔（４）が開口している。
排水栓（１０）は、槽体（２）の底面に設けられた、筒状で側面に開口を設けた部材から成り、槽体（２）に発生した排水を下水へと排水するための排水口（１）を備えている。
この排水栓（１０）の下流には、Ｓ字を横に倒した形状に屈曲させた管体から成る排水トラップ（３）が接続されている。
上記排水トラップ（３）とパイプ管（１９）から成る排水配管（９）が、下水側に繋がる床下配管に接続される。
【００１６】
また、本実施例の槽体の上縁近傍の内側壁には、オーバーフロー孔（４）が設けられ、該オーバーフロー孔（４）と連通する箱体（７）と、オーバーフローアダプター（１１）と、該オーバーフローアダプター（１１）と箱体（７）との間を連通する排水管（１４）と、から成るオーバーフロー装置（１３）が設けられている。
オーバーフローアダプター（１１）は、排水栓（１０）の外周面よりも大きな内周面を備える筒状の部材であって、排水栓（１０）側面の開口の周囲に配置されて成る。
また、オーバーフロー装置（１３）の箱体（７）は、略直方体形状の部材であり、側面に設けたオーバーフロー孔（４）に連通する開口と、底面に設けた排水管（１４）と接続する開口部（１７）と、から構成される。
更に、本実施例のオーバーフロー装置（１３）には、箱体（７）の、平面視オーバーフロー孔（４）の隣となる面に設けられ、平素は蓋（８）によって閉口されている挿入口（６）と、
排水トラップ（３）の排水配管（９）に対向する壁面に設けられた接続孔（１２）と、
挿入口（６）と接続孔（１２）とを連通する可撓性を有した管から成る洗浄用管（５）と、から構成されて成る。
また、本実施例では、上記の洗浄用管（５）と接続孔（１２）との接続部を、ナット等を用いて固定する。
更に本実施例では、洗浄用管（５）を金属製の可撓管から構成されて成る。
具体的には、瞬間湯沸器の吐水口のように、金属の板材をスパイラル状に巻き付けた金属管によって構成して成る。
このように構成することで、金属の強度／硬度を確保しつつ、且つ可撓性を備えた洗浄用管（５）とすることが出来る。
【００１７】
上記のように構成した洗面台の排水は、通常、槽体（２）の底面に開口した排水口（１）より、排水トラップ（３）を成す排水配管（９）を通過して、下水側に繋がる床下配管に排出される。
また、槽体（２）が満水になった際等は、槽体（２）から排水が溢れ出ないために設けられたオーバーフロー装置（１３）から排水は排出される。
このオーバーフロー装置（１３）では、オーバーフロー孔（４）の下縁を排水が越えた場合、排水は箱体（７）の排水管（１４）と接続する開口部（１７）より、該排水管（１４）内を通過して排水配管（９）から下水側の床下配管へと排出される。
【００１８】
また本実施例では、トラップ内部に管詰まり等が生じ清掃を行う場合、洗浄用機器を、槽体（２）に設けられたオーバーフロー孔（４）から、該オーバーフロー孔（４）と連通する箱体（７）に設けられた、洗浄用管（５）への挿入口（６）に挿入する。
更に、洗浄用管（５）内と接続孔（１２）を介して、排水トラップ（３）と、パイプ管（１９）を含む排水配管に挿入された洗浄用機器が、パイプ管（１９）の縦管部や横管部、或いは排水トラップ（３）のＵ字形状部の内部に発生した管詰まり箇所を洗浄するものである。
上記、洗浄用管（５）に設けられた挿入口（６）は、平素は蓋（８）によって閉口され、槽体（２）が満水になった際等に、オーバーフロー孔（４）から箱体（７）内に流れ込む排水が、洗浄用管（５）内に流れ込まないようにした。
従来、排水トラップ（３）内の洗浄の際は、洗面台の槽体（２）の下に潜り込み、排水トラップ（３）を分解して洗浄を行う方法がある。
或いは、上記背景技術に記載の従来例の方法では、槽体に設けられたオーバーフロー孔（４）に連絡するオーバーフロー管の端を、排水トラップ（３）の封水面上方の壁部分に設けられた孔に、抜き差し可能に差し込んで、排水トラップ（３）内の洗浄時には、オーバーフロー管を前記孔より抜き取り、洗浄用強制給水管（高圧洗浄管）を、前記孔に抜き差し可能に差し込み、排水トラップ（３）内の洗浄を行う。
しかし、本実施例の、排水トラップ（３）内洗浄方法では、排水トラップ（３）を分解する必要が無く、槽体に設けられたオーバーフロー孔（４）から洗浄用機器を挿入することで、狭い場所での作業も必要が無く、すべての作業を槽体（２）の上方（表側）から行うことができる。
また、洗浄作業の都度排水トラップ（３）を分解したり、オーバーフロー管と洗浄用強制給水管を取り替える作業の都度、漏水が発生する可能性も無くなる。
【００１９】
また、本発明は上記実施例に限定されるものでなく、特許請求の範囲に記載の範囲において適宜変更は可能である。
例えば、上記実施例では、オーバーフロー装置（１３）の箱体（７）に設けられた挿入口（６）と、排水トラップ（３）に設けられた接続孔（１２）とを連通する洗浄用管（５）との接続部をナット等を用いて固定しているが、図４に示すように、クイックファスナー（１８）を用いて、洗浄用管（５）と接続孔（１２）を固定してもよい。
また、上記実施例では、図１又は図３に示すように、洗浄用管（５）への挿入口（６）は、オーバーフロー装置（１３）の箱体（７）の、平面視オーバーフロー孔（４）の隣となる面に設けられ、洗浄用管（５）を下方向に屈曲させて、排水トラップ（３）に設けられた接続孔（１２）に連通させているが、図４に示すように、挿入口（６）を、オーバーフロー装置（１３）に設けられた排水管（１４）と接続する開口部（１７）の後ろに設け、洗浄用管（５）を、真下方向に向かって配管させ、排水トラップ（３）に設けられた接続孔（１２）と連通させてもよい。
また、上記実施例では、排水トラップ（３）に設けられた接続孔（１２）は、排水配管（９）内に対向しているため、排水配管（９）内に洗浄用機器を挿入して洗浄できる位置に設けられているが、接続孔（１２）に角度を設けることで排水トラップ（３）内のみ、或いは、適切な角度（水平面に対して４５°など）に設けてトラップ内と排水配管（９）内の両方に洗浄用機器を挿入できるようにしても良い。
また、上記実施例では、排水トラップ（３）に設けられた接続孔（１２）は、排水配管（９）の内側壁に沿うように設けられているが、排水配管の下流部の頂点に設けるようにしても良い。
【図面の簡単な説明】
【００２０】
【図１】本発明の実施例で、排水トラップを含む排水配管を備えた排水機器を示す、側面図である。
【図２】本発明の実施例に採用されている、オーバーフロー装置の平面図である。
【図３】本発明の実施例で、排水トラップを含む排水配管を備えた排水機器の施工状態を示す、全体の側面図である。
【図４】本発明のその他の実施例を示す、側面図である。
【図５】従来の実施例を示す、側面図である。
【符号の説明】
【００２１】
１    排水口
２    槽体
３    排水トラップ
４    オーバーフロー孔
５    洗浄用管
６    挿入口
７    箱体
８    蓋
９    排水配管
１０  排水栓
１１  オーバーフローアダプター
１２  接続孔
１３  オーバーフロー装置
１４  排水管
１５  上流部
１６  下流部
１７  開口部
１８  クイックファスナー
１９  パイプ管
【図１】
0004779081.tif 000002
【図２】
0004779081.tif 000003
【図３】
0004779081.tif 000004
【図４】
0004779081.tif 000005
【図５】
0004779081.tif 000006